【手続補正書】
【提出日】平成17年9月1日(2005.9.1)
【手続補正１】
【補正対象書類名】明細書
【補正対象項目名】特許請求の範囲
【補正方法】変更
【補正の内容】
【特許請求の範囲】
【請求項１】
通信網を介してユーザが通信相手との間で送受信する通信情報を取得する取得手段と、
上記取得手段が取得した通信情報から、ユーザの特徴に関連する所定の情報を抽出し、抽出した所定の情報に基づいて、ユーザの特徴を示すユーザ情報を特定する情報抽出手段と、
上記情報抽出手段が特定したユーザ情報によって示される特徴に応じたオブジェクトを画像として形成する情報処理手段と
を有する端末装置。
【請求項２】
上記情報抽出手段が上記通信情報から抽出する所定の情報は、ユーザの特徴のうち、性格及び趣味のうち少なくとの１つの特徴に関連する情報であり、
上記情報抽出手段は、上記所定の情報に基づいて、ユーザの性格及び趣味のうち少なくとも１つの特徴を特定し、特定した少なくとも１つの特徴を示すユーザ情報を特定する
ことを特徴とする請求項１記載の端末装置。
【請求項３】
上記情報処理手段は、上記情報抽出手段が特定したユーザ情報によって示される少なくとも１つの特徴を表す形態のオブジェクトを形成する
ことを特徴とする請求項１又は請求項２記載の端末装置。
【請求項４】
上記通信情報は、電子メール、画像情報、音声情報のうち少なくとも１つである
ことを特徴とする請求項１から請求項３のうち、いずれか一項記載の端末装置。
【請求項５】
所定の複数の文字列の各々と、該文字列と関連する特徴を示す特徴情報とを対応付けて記憶する文字列記憶部を備え、
上記情報抽出手段は、上記通信情報が文章情報である場合、該通信情報から少なくとも１つの所定の文字列を所定の情報として抽出し、抽出した所定の文字列と対応付けられて上記文字列記憶部に記憶されている特徴情報を少なくとも１つ読み出し、読み出した少なくとも１つの特徴情報を用いて、上記ユーザ情報を特定する
ことを特徴とする請求項１から請求項４のうち、いずれか一項記載の端末装置。
【請求項６】
上記ユーザ情報と上記オブジェクトとを所定の通信手段へ供給する供給手段を有する
ことを特徴とする請求項１から請求項５のうち、いずれか一項記載の端末装置。
【請求項７】
通信網を介してユーザが通信相手との間で送受信する通信情報を取得し、
上記取得した通信情報から、ユーザの特徴に関連する所定の情報を抽出し、抽出した所定の情報に基づいて、ユーザの特徴を示すユーザ情報を特定し、
上記特定したユーザ情報によって示される特徴に応じたオブジェクトを画像として形成する
ことを特徴とする情報処理方法。
【請求項８】
通信網を介してユーザが通信相手との間で送受信する通信情報を取得する取得ステップと、
上記取得ステップにおいて取得された通信情報から、ユーザの特徴に関連する所定の情報を抽出し、抽出した所定の情報に基づいて、ユーザの特徴を示すユーザ情報を特定する情報抽出ステップと、
上記情報抽出ステップにおいて特定されたユーザ情報によって示される特徴に応じたオブジェクトを画像として形成する情報処理ステップと
をコンピュータに実行させるための情報処理プログラム。
【請求項９】
通信網を介してユーザの通信装置から送信された、ユーザの特徴を示すユーザ情報と当該ユーザ情報に応じたオブジェクトとを受信する受信手段と、
上記受信手段が受信したユーザ情報とオブジェクトとを対応付けて記憶する記憶手段と、
上記記憶手段が記憶したユーザ情報同士を照合し、互いに同一又は類似のユーザ情報を検出する照合手段と、
上記照合手段が検出した同一又は類似の各ユーザ情報に対応するユーザの存在を、各ユーザ情報に対応する各オブジェクトを介して各ユーザに伝える照合結果メッセージを各々形成し、形成した照合結果メッセージを、各ユーザ情報を送信したユーザの通信装置に対して各々送信する照合結果送信手段と
を有することを特徴とする情報処理装置。
【請求項１０】
通信網を介してユーザの通信装置から送信された、ユーザの特徴を示すユーザ情報と当該ユーザ情報に応じたオブジェクトとを受信する受信手段と、
上記受信手段が受信したユーザ情報とオブジェクトとを対応付けて記憶する記憶手段と、
上記記憶手段が記憶した少なくとも２つのオブジェクトの関係を、各オブジェクトに対応するユーザ情報によって示されるユーザの特徴に応じて、決定する関係決定手段と
を有することを特徴とする情報処理装置。
【請求項１１】
上記関係決定手段が決定した少なくとも２つのオブジェクトの関係を表す画像及び文章情報のうち少なくとも１つを形成する情報形成手段を有する
ことを特徴とする請求項１０記載の情報処理装置。
【請求項１２】
上記情報形成手段が形成した上記画像及び上記文章情報のうち少なくとも１つを、上記オブジェクトを送信した各ユーザの通信装置のうち少なくとも１つに対して送信する関係情報送信手段を有する
ことを特徴とする請求項１１記載の情報処理装置。
【請求項１３】
上記ユーザ情報は、ユーザの特徴のうち、性格及び趣味のうち少なくとも１つの特徴を含む情報である
ことを特徴とする請求項９から請求項１２のうち、いずれか一項記載の情報処理装置。
【請求項１４】
上記オブジェクトを送信したユーザの通信装置と、該ユーザから指定された他のオブジェクトを送信した他のユーザの通信装置との間の通信回線を接続し、該通信装置間のデータの送受信を仲介する通信手段を有する
ことを特徴とする請求項９から請求項１３のうち、いずれか一項記載の情報処理装置。
【請求項１５】
上記オブジェクトを送信したユーザの通信装置と、該ユーザから指定された他のオブジェクトを送信した他のユーザの通信装置との間の通信回線を接続し、該通信装置うち一方の通信装置から他方の通信装置へ宛てられた文字データに、該他方の通信装置に対応する上記オブジェクトを付加して、該他方の通信装置へリアルタイムで送信する通信手段を有する
ことを特徴とする請求項９から請求項１４のうち、いずれか一項記載の情報処理装置。
【請求項１６】
通信網を介してユーザの通信装置から送信された、ユーザの特徴を示すユーザ情報と当該ユーザ情報に応じたオブジェクトとを受信し、
上記受信したユーザ情報とオブジェクトとを対応付けて記憶し、
上記記憶したユーザ情報同士を照合し、互いに同一又は類似のユーザ情報を検出し、
上記検出した同一又は類似の各ユーザ情報に対応するユーザの存在を、各ユーザ情報に対応する各オブジェクトを介して各ユーザに伝える照合結果メッセージを各々形成し、形成した照合結果メッセージを各ユーザ情報を送信したユーザの通信装置に対して各々送信する
ことを特徴とする情報処理方法。
【請求項１７】
通信網を介してユーザの通信装置から送信された、ユーザの特徴を示すユーザ情報と当該ユーザ情報に応じたオブジェクトとを受信し、
上記受信したユーザ情報とオブジェクトとを対応付けて記憶し、
上記記憶した少なくとも２つのオブジェクトの関係を、各オブジェクトに対応するユーザ情報によって示されるユーザの特徴に応じて、決定する
ことを特徴とする情報処理方法。
【請求項１８】
通信網を介してユーザの通信装置から送信された、ユーザの特徴を示すユーザ情報と当該ユーザ情報に応じたオブジェクトとを受信する受信ステップと、
上記受信ステップにおいて受信されたユーザ情報とオブジェクトとを対応付けて記憶手段に記憶させる記憶ステップと、
上記記憶ステップにおいて記憶されたユーザ情報同士を照合し、互いに同一又は類似のユーザ情報を検出する照合ステップと、
上記照合ステップにおいて検出された同一又は類似の各ユーザ情報に対応するユーザの存在を、各ユーザ情報に対応する各オブジェクトを介して各ユーザに伝える照合結果メッセージを各々形成し、形成した照合結果メッセージを、各ユーザ情報を送信したユーザの通信装置に対して各々送信する照合結果送信ステップと
をコンピュータに実行させるための情報処理プログラム。
【請求項１９】
通信網を介してユーザの通信装置から送信された、ユーザの特徴を示すユーザ情報と当該ユーザ情報に応じたオブジェクトとを受信する受信ステップと、
上記受信ステップにおいて受信されたユーザ情報とオブジェクトとを対応付けて記憶手段に記憶させる記憶ステップと、
上記記憶ステップにおいて記憶された少なくとも２つのオブジェクトの関係を、各オブジェクトに対応するユーザ情報によって示されるユーザの特徴に応じて、決定する関係決定ステップと
をコンピュータに実行させるための情報処理プログラム。
【請求項２０】
請求項８、請求項１８及び請求項１９のうちいずれか一項記載の情報処理プログラムが記憶されたコンピュータ読み取り可能な記憶媒体。
【請求項２１】
ユーザが通信相手との間で通信網を介して送受信する通信情報を取得する取得手段と、上記取得手段が取得した通信情報から、ユーザの特徴に関連する所定の情報を抽出し、抽出した所定の情報に基づいて、ユーザの特徴を示すユーザ情報を特定する情報抽出手段と、上記情報抽出手段が特定したユーザ情報によって示される特徴に応じたオブジェクトを画像として形成する情報処理手段と、上記ユーザ情報と上記オブジェクトとを通信網を介して送信する通信手段とを備える複数のユーザの端末装置と、
上記通信網を介して上記端末装置から送信された上記ユーザ情報と上記オブジェクトとを受信する受信手段と、上記受信手段が受信したユーザ情報とオブジェクトとを対応付けて記憶する記憶手段と、上記記憶手段が記憶したユーザ情報同士を照合し、互いに同一又は類似のユーザ情報を検出する照合手段と、上記照合手段が検出した同一又は類似の各ユーザ情報に対応するユーザの存在を、各ユーザ情報に対応する各オブジェクトを介して各ユーザに伝える照合結果メッセージを各々形成し、形成した照合結果メッセージを各ユーザ情報を送信したユーザの通信装置に対して各々送信する照合結果送信手段とを備える情報処理装置とを有する
ことを特徴とするネットコミュニケーションシステム。
【請求項２２】
ユーザが通信相手との間で通信網を介して送受信する通信情報を取得する取得手段と、上記取得手段が取得した通信情報から、ユーザの特徴に関連する所定の情報を抽出し、抽出した所定の情報に基づいて、ユーザの特徴を示すユーザ情報を特定する情報抽出手段と、上記情報抽出手段が特定したユーザ情報によって示される特徴に応じたオブジェクトを画像として形成する情報処理手段と、上記ユーザ情報と上記オブジェクトとを通信網を介して送信する通信手段とを備える複数のユーザの端末装置と、
上記通信網を介して上記端末装置から送信された上記ユーザ情報と上記オブジェクトとを受信する受信手段と、上記受信手段が受信したユーザ情報とオブジェクトとを対応付けて記憶する記憶手段と、上記記憶手段が記憶した少なくとも２つのオブジェクトの関係を、各オブジェクトに対応するユーザ情報によって示されるユーザの特徴に応じて、決定する関係決定手段とを備える情報処理装置とを有する
ことを特徴とするネットコミュニケーションシステム。
【請求項２３】
上記情報処理装置は、上記関係決定手段が決定した少なくとも２つのオブジェクトの関係を表す画像及び文章情報のうち少なくとも１つを形成する情報形成手段を有する
ことを特徴とする請求項２２記載のネットコミュニケーションシステム。
【請求項２４】
上記情報処理装置は、上記情報形成手段が形成した上記画像及び上記文章情報のうち少なくとも１つを、上記オブジェクトを送信した各ユーザの通信装置のうち少なくとも１つに対して送信する関係情報送信手段を有する
ことを特徴とする請求項２３記載のネットコミュニケーションシステム。
【請求項２５】
上記情報処理装置は、上記オブジェクトを送信したユーザの端末装置と、該ユーザから指定された他のオブジェクトを送信した他のユーザの端末装置との間の通信回線を接続し、該通信装置間のデータの送受信を仲介する通信手段を有する
ことを特徴とする請求項２１から請求項２４のうち、いずれか一項記載のネットコミュニケーションシステム。
【請求項２６】
上記ユーザの端末装置は、上記情報処理装置を介して他のユーザの端末装置との間で送受信されたデータに基づいて、該ユーザに対応するオブジェクトを主人公とする日記形式の文章情報を形成する日記形成手段を有する
ことを特徴とする請求項２５記載のネットコミュニケーションシステム。
【請求項２７】
上記端末装置は携帯電話機である
ことを特徴とする請求項２１から請求項２６のうち、いずれか一項記載のネットコミュニケーションシステム。
【請求項２８】
上記端末装置が備える通信手段は該端末装置とは別体の通信装置であり、該通信装置は、接続手段を介して上記端末装置と接続され、
上記情報処理手段は、上記接続手段を介して上記ユーザ情報と上記オブジェクトとを上記の通信装置に供給する
ことを特徴とする請求項２１から請求項２７のうち、いずれか一項記載のネットコミュニケーションシステム。
【請求項２９】
端末装置において、ユーザが通信相手との間で通信網を介して送受信する通信情報を取得し、上記取得した通信情報から、ユーザの特徴に関連する所定の情報を抽出し、抽出した所定の情報に基づいて、ユーザの特徴を示すユーザ情報を特定し、上記特定したユーザ情報によって示される特徴に応じたオブジェクトを画像として形成し、上記ユーザ情報と上記オブジェクトとをネットワークを介して送信し、
上記ネットワークに接続された情報処理装置において、上記ネットワークを介して上記端末装置から送信された上記ユーザ情報と上記オブジェクトとを受信し、
上記受信したユーザ情報とオブジェクトとを対応付けて記憶し、
上記記憶された少なくとも２つのオブジェクトの関係を、各オブジェクトに対応するユーザ情報によって示されるユーザの特徴に応じて、決定する
ことを特徴とするネットコミュニケーション方法。
【請求項３０】
端末装置において、ユーザが通信相手との間で通信網を介して送受信する通信情報を取得し、上記取得した通信情報から、ユーザの特徴に関連する所定の情報を抽出し、抽出した所定の情報に基づいて、ユーザの特徴を示すユーザ情報を特定し、上記特定したユーザ情報によって示される特徴に応じたオブジェクトを画像として形成し、上記ユーザ情報と上記オブジェクトとをネットワークを介して送信し、
上記ネットワークに接続された情報処理装置において、上記ネットワークを介して送信された上記ユーザ情報と上記オブジェクトとを受信し、上記受信したユーザ情報とオブジェクトとを対応付けて記憶し、上記記憶した少なくとも２つのオブジェクトの関係を、各オブジェクトに対応するユーザ情報によって示されるユーザの特徴に応じて、決定する
ことを特徴とするネットコミュニケーション方法。
【手続補正２】
【補正対象書類名】明細書
【補正対象項目名】０００７
【補正方法】変更
【補正の内容】
【０００７】
【課題を解決するための手段】
本発明は、ユーザの端末装置で、例えば電子メール等の文章情報や所望の画像、或いは音楽情報等の情報に基づいて、ユーザの性格及び趣味のうち少なくとも１つに対応するオブジェクトを画像として形成し、このオブジェクトをユーザ情報と共に、所定のネットワークを介して情報処理装置に送信する。
【手続補正３】
【補正対象書類名】明細書
【補正対象項目名】０００８
【補正方法】変更
【補正の内容】
【０００８】
情報処理装置は、各端末装置から送信されるオブジェクト、及びこのオブジェクトに付加されて送信された各ユーザのユーザ情報同士をそれぞれ照合処理し、ユーザ情報が同じ或いはユーザ情報が類似するオブジェクトを検出することで、例えば性格及び趣味のうち少なくとも１つが同じ若しくは似たオブジェクトを検出する。そして、この検出したオブジェクトを送信したユーザの端末装置に対して、照合結果に関する情報を上記所定のネットワークを介してそれぞれ送信する。
【手続補正４】
【補正対象書類名】明細書
【補正対象項目名】００１２
【補正方法】変更
【補正の内容】
【００１２】
ペット牧場に放牧された各ペットは、各ユーザの趣味や性格を示すユーザ情報を有しており、この情報に基づいて、自分の趣味や性格等が合った他のユーザのペットを探し出し、例えばこの探し出した他のユーザのペットからの手紙を持ち帰る等して、趣味や性格等が合った他のユーザのペットの存在を自分のユーザに報告する。この報告を受けたユーザは、再度自分のペットをペット牧場に放牧することで、上記探し出した他のユーザのペットを介して他のユーザに対してアクセスを図る。これにより、ユーザ及び他のユーザは、互いのペットを介して間接的にコミュニケーションを取ることができるようになっている。
【手続補正５】
【補正対象書類名】明細書
【補正対象項目名】００３０
【補正方法】変更
【補正の内容】
【００３０】
ステップＳ２では、文字列抽出部２１が、この取り込んだ送信メールから所定の文字列を抽出し、この抽出した各文字列を照合部２２に供給する。これにより、このエンタテインメント装置２の動作がステップＳ３に進む。
【手続補正６】
【補正対象書類名】明細書
【補正対象項目名】００３１
【補正方法】変更
【補正の内容】
【００３１】
具体的には、例えば文字列抽出部２１で取り込まれた送信メールが、図５（ａ）に示すように「ごめんなさい。メールが遅れてしまいました。バンドのことですが、ギターの人が辞めるそうです。私が歌いながらタップダンスでも踊れば大丈夫ですよね。ピアノのほう、よろしくお願いします。では、また。」との文章であったとした場合、文字列抽出部２１は、上記ステップＳ２において、図５（ｂ）に示すように「ごめんなさい。／メール／が／遅れて／しまい／ました。／バンド／の／こと／ですが、／ギター／の／人が／辞める／そう／です。／私が／歌い／ながら／タップダンス／でも／踊れば／大丈夫／ですよね。／ピアノ／の／ほう、／よろしく／お願い／します。／では、／また。／」とのように、文章を各文字列毎に区切ることで各文字列の抽出を行い、これらを照合部２２に供給する。
【手続補正７】
【補正対象書類名】明細書
【補正対象項目名】００６８
【補正方法】変更
【補正の内容】
【００６８】
〔ファーストコンタクトの報告〕
次に、システムサーバ装置４は、データベース１５に登録されている各ペットに対応する各ユーザ情報をマッチング処理した結果、そのペットと性格や趣味等が合うペットを見つけた場合、或いはユーザからのメッセージに合ったペットを見つけた場合、「ファーストコンタクト報告メール」を形成し、これを各ペットからのメールとして各ペットのユーザに送信する。
【手続補正８】
【補正対象書類名】明細書
【補正対象項目名】００７４
【補正方法】変更
【補正の内容】
【００７４】
システムサーバ装置４は、この指示がなされると、そのユーザから指定されたペットのユーザに対して電話回線の接続を図り、相手のユーザのペットの画像に、各ユーザの携帯電話機１２を介して送信される文字データを付加して、相手の携帯電話機１２にリアルタイムで送信する。これにより、文字によるリアルタイムの会話であるいわゆるチャットを、各ユーザのペットを通じて行うことができ、互いにコミュニケーションを図ることができる。
【手続補正９】
【補正対象書類名】明細書
【補正対象項目名】００９８
【補正方法】変更
【補正の内容】
【００９８】
システムサーバ装置４は、各ユーザから送信された各ペットに対応するユーザ情報をそれぞれマッチング処理し、趣味や性格等の合うペット同士を検索してそのペットの各ユーザに対して相手のペットのユーザを紹介する報告メール（ファーストコンタクト報告メール）を送信する。これにより、ユーザは、ペットを介して自動的かつ気軽に趣味や性格等が合う他のユーザを探し出すことができる。
【手続補正１０】
【補正対象書類名】明細書
【補正対象項目名】０１０２
【補正方法】変更
【補正の内容】
【０１０２】
また、電子メールの文字列等の内容に基づいてペットの形態や性格等を変化させることとしたが、これは、このようにペットに反映させる以外にも、例えば電子メール等の文章情報，音声情報，画像情報等の情報に基づいて例えばモニタ装置の壁紙を変えたり、ビデオゲームの仮想世界に何らかの影響を及ぼすようにしてもよい。